(57)【特許請求の範囲】
【請求項１】
基幹エネルギの供給異常を各別に検出可能な複数の異常検出装置との間で、ネットワークを介して通信可能に構成され、且つ、前記異常検出装置において検出された供給異常に関するアラーム情報を収集可能に構成されたアラーム情報収集システムで実行されるアラーム情報収集方法であって、
前記アラーム情報の収集開始に関する収集指令信号を受付ける受付工程と、
前記複数の異常検出装置のうち、特定条件に基づいて選択された一部の異常検出装置を、通信対象に設定する設定工程と、
前記設定工程において前記通信対象に設定された前記異常検出装置における前記アラーム情報を、前記ネットワークを介して収集するアラーム情報収集工程と、
前記アラーム情報収集工程において収集された前記アラーム情報を表示部に表示する表示工程とを実行する構成からなり、
前記設定工程が、前記複数の異常検出装置のうち、第１の前記特定条件として、地理的に分散するように所定の間引き率で間引くことによって選択された前記異常検出装置を、前記通信対象に設定する工程であるアラーム情報収集方法。
【請求項２】
前記設定工程が、前記複数の異常検出装置のうち、第２の前記特定条件としての所定のエリア内にある、又は前記基幹エネルギの所定の供給路線上にある前記異常検出装置を、前記通信対象として設定する工程である請求項１に記載のアラーム情報収集方法。
【請求項３】
前記複数の異常検出装置は、異常検出性能が高く設定された高設定異常検出装置と、前記高設定異常検出装置より異常検出性能が低く設定された低設定異常検出装置とから構成されており、前記複数の異常検出装置のうち、前記高設定異常検出装置が、前記低設定異常検出装置よりも早く、前記供給異常を検知して前記アラーム情報収集システムに前記アラーム情報を発するように構成され、
前記受付工程が、前記異常検出装置から発せられた前記アラーム情報を前記収集指令信号として受付ける工程である請求項１又は２に記載のアラーム情報収集方法。
【請求項４】
前記設定工程が、前記受付工程で受付けた収集指令信号の属性に基づいて前記特定条件を決定し、前記決定した特定条件に基づいて選択された一部の異常検出装置を、前記通信対象に設定する工程である請求項１から３の何れか１項に記載のアラーム情報収集方法。
【請求項５】
基幹エネルギの供給異常を各別に検出可能な複数の異常検出装置との間で、ネットワークを介して通信可能に構成され、且つ、前記異常検出装置において検出
された供給異常に関するアラーム情報を収集可能に構成されたアラーム情報収集システムで実行されるアラーム情報収集方法であって、
前記アラーム情報の収集開始に関する収集指令信号を受付ける受付工程と、
前記複数の異常検出装置のうち、特定条件に基づいて選択された一部の異常検出装置を、通信対象に設定する設定工程と、
前記設定工程において前記通信対象に設定された前記異常検出装置における前記アラーム情報を、前記ネットワークを介して収集するアラーム情報収集工程と、
前記アラーム情報収集工程において収集された前記アラーム情報を表示部に表示する表示工程とを実行すると共に、
予め設定された前記供給異常の原因に関連する工事情報を、前記表示部に表示する工事情報表示工程を実行する構成で、
前記設定工程が、前記複数の異常検出装置のうち、第１の前記特定条件として、地理的に分散するように所定の間引き率で間引くことによって選択された前記異常検出装置を、前記通信対象に設定する工程であるアラーム情報収集方法。
【請求項６】
請求項１から５の何れか１項に記載のアラーム情報収集方法に含まれる前記各工程を前記アラーム情報収集システムにおいて実行する場合に、前記アラーム情報収集システムを構成するコンピュータが実行することにより前記各工程が実現されるコンピュータプログラム。
【請求項７】
請求項１から５の何れか１項に記載のアラーム情報収集方法に含まれる前記各工程を前記アラーム情報収集システムにおいて実行する場合に、前記アラーム情報収集システムを構成するコンピュータが実行することにより前記各工程が実現されるコンピュータプログラムを記録した、前記コンピュータが読み取り可能なプログラム記憶媒体。
【請求項８】
基幹エネルギの供給異常を各別に検出可能な複数の異常検出装置との間で、ネットワークを介して通信可能に構成されたアラーム情報収集システムであって、
請求項１から５の何れか１項に記載のアラーム情報収集方法に含まれる前記各工程を実行可能な各手段を備えたアラーム情報収集システム。
【発明の詳細な説明】
【０００１】
【発明の属する技術分野】
基幹エネルギの供給異常を各別に検出可能な複数の異常検出装置との間で、ネットワークを介して通信可能に構成され、且つ、前記異常検出装置において検出された供給異常に関するアラーム情報を収集可能に構成されたアラーム情報収集システム、及び、そのアラーム情報収集システムで実行されるアラーム情報収集方法に関する。
尚、基幹エネルギとは、顧客側の施設等に供給されるガス、電気、水等である。
【０００２】
【従来の技術】
近年、公衆回線等を利用したネットワークによって、各顧客宅に設置されているガスメータに接続された通信端局と、ガス会社等の検針センタのサーバコンピュータとを結び、サーバコンピュータの遠隔操作で各顧客宅のガス（基幹エネルギの一例）の使用量を測定し、検針作業の効率化を図る自動検針システムが実現されている。また、この自動検針システムにおいては、サーバコンピュータの遠隔操作によって、顧客宅のガス使用状況、ガス圧力値等を測定して、ガスの供給異常を検出することも可能で、このような供給異常を検出した場合に、サーバコンピュータの遠隔操作によりガスメータの遮断弁の開閉操作をすることも可能である。
このような自動検針システムのネットワークは、ガスメータに通信端局を接続し、電柱や建物にその通信端局と特定小電力無線により通信可能な集中制御局を設置して、その集中制御局と検針センタのサーバコンピュータとを公衆回線等の通信回線で接続して構成される。
【０００３】
自動検針システムのサーバコンピュータ側等において、上記のような顧客宅のメータ装置等に内蔵された異常検出装置から圧力低下等のガスの供給異常に関するアラーム情報を受けた場合に、ディスプレイに表示される地図上に、そのアラーム情報を発した異常検出装置の位置等を重畳して表示するアラーム情報表示機能を有するアラーム情報収集システムの構築が検討されている。
このようなアラーム情報表示機能は、例えば、通報者等から電話等により緊急通報を受けたオペレータ等が、サーバコンピュータにより、その通報者の位置周辺の地域等におけるすべての通信端局にアクセスして、全てのガスメータにおけるアラーム情報を取得し、そのアラーム情報をディスプレイ等の表示部に表示するように構成されている。
【０００４】
【発明が解決しようとする課題】
ガス漏れ等に関する緊急通報においては、早期にその状況を把握して、より迅速に復旧作業を行う必要があるのは言うまでもない。
しかし、上記のようなアラーム情報収集システムにおいては、サーバコンピュータが甚大な数の通信端局にアクセスして全ての異常検出装置におけるアラーム情報を取得するように構成されているので、全てのアラーム情報がディスプレイの地図上に表示されるまでに時間がかかり、全体の状況把握及び復旧作業のための出動に遅れが生じるおそれがある。
よって、本発明は、上記の事情に鑑みて、アラーム情報収集システムにおいて、迅速にアラーム情報の状況が把握できる技術を実現することを目的とする。
【０００５】
【課題を解決するための手段】
〔構成１〕
本発明に係るアラーム情報収集方法は、請求項１に記載したごとく、基幹エネルギの供給異常を各別に検出可能な複数の異常検出装置との間で、ネットワークを介して通信可能に構成され、且つ、前記異常検出装置において検出された供給異常に関するアラーム情報を収集可能に構成されたアラーム情報収集システムで実行されるアラーム情報収集方法であって、
前記アラーム情報の収集開始に関する収集指令信号を受付ける受付工程と、
前記複数の異常検出装置のうち、特定条件に基づいて選択された一部の異常検出装置を、通信対象に設定する設定工程と、
前記設定工程において前記通信対象に設定された前記異常検出装置における前記アラーム情報を、前記ネットワークを介して収集するアラーム情報収集工程と、
前記アラーム情報収集工程において収集された前記アラーム情報を表示部に表示する表示工程とを実行する構成からなり、
前記設定工程が、前記複数の異常検出装置のうち、第１の前記特定条件として、地理的に分散するように所定の間引き率で間引くことによって選択された前記異常検出装置を、前記通信対象に設定する工程であることを特徴とする。
【０００６】
〔作用効果〕
本構成のアラーム情報収集方法によれば、検針センタに設けられたサーバコンピュータや、その他の上記ネットワークに接続されたサーバコンピュータ等で構成されるアラーム情報収集システムが、上記受付工程を行って、例えば通報者からの緊急通報等を電話等で受付けたオペレータ等が手動により入力した前記収集指令信号を受付け、又は、自動検針システムのサーバコンピュータ等により構成されたアラーム情報収集システムにおいて、ある異常検出装置から発せられたアラーム情報を受信したときに自動的に入力される収集指令信号を受付け、又は、所定の時間又は期間毎に自動的に入力される収集指令信号を受付ける。
そして、アラーム情報収集システムは、上記受付工程において収集指令信号を受付けた後、上記設定工程を行って、所定の地域における全ての異常検出装置のうち、予め設定されている前記特定条件に基づいて、一部の異常検出装置を抽出し、その抽出した異常検出装置を前記通信対象に設定する。
【０００７】
次に、アラーム情報収集システムは、アラーム情報収集工程を行って、上記設定工程において通信対象に設定された一部の異常検出装置に、上記ネットワークを介してアクセスし、その異常検出装置のアラーム情報を収集し、次の上記表示工程において収集したアラーム情報をディスプレイ等に表示されている地図上に重畳して表示するのである。
従って、本構成のアラーム情報収集方法により、特定条件に基づいて抽出された一部の異常検出装置のアラーム情報を収集するので、すべての異常検出装置のアラーム情報を収集するよりも迅速にアラーム情報を収集してディスプレイの地図上等に表示することができ、アラーム情報収集システムのオペレータ等は、表示されたアラーム情報に基づいて、次の緊急出動の命令等の対応の決定を迅速に行うことができる。
【０００９】
また、本構成のアラーム情報収集方法によれば、アラーム情報収集システムは、上記設定工程において、第１の特定条件としての予め設定された間引き率に基づいて、すべての異常検出装置から、一部の異常検出装置を地理的に分散するように間引いた異常検出装置を、上記通信対象として設定することができ、このように一部を分散させて間引いた異常検出装置のアラーム情報を収集してディスプレイの地図上等に重畳して表示することで、アラーム情報収集システムは、迅速且つ全体的に均等にアラーム情報を収集してディスプレイの地図上等に表示することができるうえに、アラーム情報収集システムのオペレータは、所定の地域において、全体的なアラーム情報の状況を迅速に把握することができる。
【００１０】
〔構成２〕
本発明に係るアラーム情報収集方法は、請求項２に記載したごとく、上記構成１のアラーム情報収集方法の構成に加えて、前記設定工程が、前記複数の異常検出装置のうち、第２の前記特定条件としての所定のエリア内にある、又は前記基幹エネルギの所定の供給路線上にある前記異常検出装置を、前記通信対象として設定する工程であることを特徴とする。
【００１１】
〔作用効果〕
本構成のアラーム情報収集方法によれば、上記受付工程において情報収集指令信号と共に、例えば緊急通報を通報してきた通報者の所在地や、最初にアラーム情報をアラーム情報収集システム側に発信した異常検出装置の所在値等を受付けて、上記設定工程において、全ての異常検出装置のうち、その所在値からの所定の距離範囲又はその所在値がある区画等の第２の特定条件としてのエリア内にある異常検出装置を、通信対象として設定することができ、このように特定のエリア内にある異常検出装置のアラーム情報のみを収集してディスプレイの地図上等に重畳して表示することで、アラーム情報収集システムのオペレータは、アラーム情報を発する異常検出装置が多いと考えられる特定のエリアの異常検出装置のアラーム情報の状況を迅速に把握することができる。
また、上記設定工程において、予め設定されている所定のガスの導管等の第２の特定条件としての供給路線上にある異常検出装置のみを通信対象に設定することができ、例えば、工事中のガスの導管や、最初にアラーム情報を発した異常検出装置と同一の導管上に設けられた複数の異常検出装置においては、ガスの供給異常を検知する可能性が高いので、上記設定工程において、その所定の導管等の供給路線上にある異常検出装置を通信対象として設定することができ、ディスプレイに迅速に表示される所定の供給路線上の異常検出装置のアラーム情報を的確に把握することができる。
【００１２】
〔構成３〕
本発明に係るアラーム情報収集方法は、請求項３に記載したごとく、上記構成１又は２のアラーム情報収集方法の構成に加えて、前記複数の異常検出装置は、異常検出性能が高く設定された高設定異常検出装置と、前記高設定異常検出装置より異常検出性能が低く設定された低設定異常検出装置とから構成されており、前記複数の異常検出装置のうち、前記高設定異常検出装置が、前記低設定異常検出装置よりも早く、前記供給異常を検知して前記アラーム情報収集システムに前記アラーム情報を発するように構成され、
前記受付工程が、前記異常検出装置から発せられた前記アラーム情報を前記収集指令信号として受付ける工程であることを特徴とする。
【００１３】
〔作用効果〕
すべての異常検出装置において、ガス等の基幹エネルギの供給異常を検出するに、その検出性能が同じである場合、近接する複数の異常検出装置が同時にアラーム情報を発することがある。
そこで、本構成のアラーム情報収集方法のごとく、例えば１０００個の異常検出装置のうち１個の異常検出装置においては、その他の異常検出装置よりも上記の供給異常検出の検出性能を高く設定して、アラーム情報を他の異常検出装置よりも即座にセンタに発するように構成することで、アラーム情報収集システムは、受付工程において、その供給異常の検出性能を高く設定された異常検出装置から発せられるアラーム情報を収集指令信号として受付けることができ、即座に設定工程及びアラーム情報収集工程を行って、例えばすべての異常検出装置のうち、最初にアラーム情報を発した異常検出装置周辺のエリア内の異常検出装置、又はその異常検出装置の一部を間引いた異常検出装置、又はその異常検出装置と同一の供給路線上にある異常検出装置等のように、特定条件に基づいて設定された通信対象の異常検出装置におけるアラーム情報を収集して、表示工程において迅速にディスプレイの地図上等に表示することができる。
よって、アラーム情報収集システムのオペレータは、自動的且つ迅速に表示されるアラーム情報を把握して、迅速に緊急出動等の命令を発することができる。
【００１４】
〔構成４〕
本発明に係るアラーム情報収集方法は、請求項４に記載したごとく、上記構成１から３の何れかのアラーム情報収集方法の構成に加えて、前記設定工程が、前記受付工程で受付けた収集指令信号の属性に基づいて前記特定条件を決定し、前記決定した特定条件に基づいて選択された一部の異常検出装置を、前記通信対象に設定する工程であることを特徴とする。
【００１５】
〔作用効果〕
本構成のアラーム情報収集方法によれば、受付工程で受付ける収集指令信号として、通報者から電話通報によるもの、ある異常検出装置から発せられたアラーム情報によるもの、所定の時間又は期間毎に自動的に入力されるもの、又は情報提供者又は地震検知装置等からの地震情報によるものなどを利用し、その収集指令信号により、設定工程において一部の異常検出装置を選択するのに利用される特定条件を、例えば、予め設定されている数種類の特定条件から、その収集指令信号の属性に対して適切なものに決定することができる。即ち、例えば収集指令信号がある異常検出装置から発せられたアラーム情報である場合には、設定工程において、そのアラームを発した異常検出装置が設けられているガスの導管を特定条件として決定して、その導管上にある異常検出装置のみを通信対象に設定することができ、又、収集指令信号が地震情報によるものである場合には、設定工程において、その地震が発生したエリアを特定条件として決定して、そのエリア内にある異常検出装置を通信対象に設定することができ、夫々の状況に合わせて適切にアラーム情報を収集することができる。
【００１６】
〔構成５〕
本発明に係るアラーム情報収集方法は、請求項５に記載したごとく、基幹エネルギの供給異常を各別に検出可能な複数の異常検出装置との間で、ネットワークを介して通信可能に構成され、且つ、前記異常検出装置において検出された供給異常に関するアラーム情報を収集可能に構成されたアラーム情報収集システムで実行されるアラーム情報収集方法であって、
前記アラーム情報の収集開始に関する収集指令信号を受付ける受付工程と、
前記複数の異常検出装置のうち、特定条件に基づいて選択された一部の異常検出装置を、通信対象に設定する設定工程と、
前記設定工程において前記通信対象に設定された前記異常検出装置における前記アラーム情報を、前記ネットワークを介して収集するアラーム情報収集工程と、
前記アラーム情報収集工程において収集された前記アラーム情報を表示部に表示する表示工程とを実行すると共に、
予め設定された前記供給異常の原因に関連する工事情報を、前記表示部に表示する工事情報表示工程を実行する構成で、
前記設定工程が、前記複数の異常検出装置のうち、第１の前記特定条件として、地理的に分散するように所定の間引き率で間引くことによって選択された前記異常検出装置を、前記通信対象に設定する工程であることを特徴とする。
【００１７】
〔作用効果〕
本構成のアラーム情報収集方法によれば、検針センタに設けられたサーバコンピュータや、その他の上記ネットワークに接続されたサーバコンピュータ等で構成されるアラーム情報収集システムが、上記受付工程を行って、例えば通報者からの緊急通報等を電話等で受付けたオペレータ等が手動により入力した前記収集指令信号を受付け、又は、自動検針システムのサーバコンピュータ等により構成されたアラーム情報収集システムにおいて、ある異常検出装置から発せられたアラーム情報を受信したときに自動的に入力される収集指令信号を受付け、又は、所定の時間又は期間毎に自動的に入力される収集指令信号を受付ける。
そして、アラーム情報収集システムは、上記受付工程において収集指令信号を受付けた後、アラーム情報収集工程を行って、一部又は全部の異常検出装置に、上記ネットワークを介してアクセスし、その異常検出装置のアラーム情報を収集し、次の上記表示工程において収集したアラーム情報をディスプレイ等に表示されている地図上に重畳して表示するのである。
さらに、このようにアラーム情報を表示部に表示するアラーム情報収集システムは、工事情報表示工程を行い、予め認識している基幹エネルギとしてのガス等の供給路線上における工事情報等を表示部のアラーム情報が表示されている地図上等に表示することができ、アラーム情報収集システムのオペレータ等は、表示部に表示されたアラーム情報の原因を、表示部に表示された工事情報から推定することができ、次にアラーム情報の収集対象とする異常検出装置の設定や、緊急出動の命令等の対応の決定を迅速に行うことができる
【００１８】
〔構成６〕
本発明に係るコンピュータプログラムは、請求項６に記載したごとく、上記構成１から５の何れかのアラーム情報収集方法に含まれる前記各工程を前記アラーム情報収集システムにおいて実行する場合に、前記アラーム情報収集システムを構成するコンピュータが実行することにより前記各工程が実現されることを特徴とする。
【００１９】
〔作用効果〕
本構成のコンピュータプログラムによれば、アラーム情報収集システムを構成するコンピュータが読み取り可能な記憶装置上に、当該プログラムを書き込み、
当該プログラムの各工程に関するプログラムステップを読み出し実行することで、アラーム情報収集システムが上記構成１から５の何れかのアラーム情報収集方法の各工程を実行することができ、上記した各構成の作用効果が奏されることになる。
【００２０】
〔構成７〕
本発明に係るプログラム記憶媒体は、請求項７に記載したごとく、上記構成１から５の何れかのアラーム情報収集方法に含まれる前記各工程を前記アラーム情報収集システムにおいて実行する場合に、前記アラーム情報収集システムを構成するコンピュータが実行することにより前記各工程が実現されるコンピュータプログラムを記録した、前記コンピュータが読み取り可能なプログラム記憶媒体であることを特徴とする。
【００２１】
〔作用効果〕
本構成のプログラム記憶媒体によれば、アラーム情報収集システムを構成するコンピュータが、上記構成１から５の何れかのアラーム情報収集方法の各工程に関するプログラムステップを書く記憶媒体から読み出し実行することで、アラーム情報収集システムが当該アラーム情報収集方法の各工程を実行することができ、上記した各構成の作用効果が奏されることになる。
【００２２】
〔構成８〕
本発明に係るアラーム情報収集システムは、請求項８に記載したごとく、基幹エネルギの供給異常を各別に検出可能な複数の異常検出装置との間で、ネットワークを介して通信可能に構成されたアラーム情報収集システムであって、
請求項１から５の何れか１項に記載のアラーム情報収集方法に含まれる前記各工程を実行可能な各手段を備えたことを特徴とする。
【００２３】
〔作用効果〕
本構成のアラーム情報収集システムによれば、上記構成１から５の何れかのアラーム情報収集方法を実行することができる。前記アラーム情報収集方法を実行することで、同様の作用効果を奏することができる。即ち、アラーム情報収集システムは、上記受付手段により前記収集指令信号を受付ける上記受付工程を行い、上記設定手段及びアラーム情報収集手段により、上記設定工程及びアラーム情報収集工程を行う。
そして、アラーム情報収集システムには、表示手段が設けられており、上記アラーム収集手段により収集されたアラーム情報を、例えばディスプレイの地図上に重畳して表示することができる。
【００２４】
【発明の実施の形態】
本発明に係るアラーム情報収集方法（以下、適宜「本発明方法」という。）の実施の形態を、図面に基づいて説明する。
【００２５】
図１に示すように、本発明のアラーム情報収集システム１０は、複数の顧客に供給されるガス（基幹エネルギの一例）の供給量を測定するガスメータ１（異常検出装置の一例）に設けられた通信端局２との間で、公衆回線等のネットワーク５を介して通信可能に構成されている。また、このようなネットワーク５は、本来、検針センタが、ガスメータ１の指針値に関する検針データを収集して自動検針を行うためのものである。
さらに、ガスメータ１は、所謂マイコンメータとして構成されており、ガスの供給量の測定の他に、ガスの圧力低下やガスの漏洩等の供給異常を各別に検出可能に構成され、その供給異常に関するアラーム情報をネットワーク５を介してアラーム情報収集システム１０側に送信可能である。
【００２６】
また、アラーム情報収集システム１０は、サーバコンピュータ２０、アラーム情報データベース（ＤＢ）３１、顧客情報データベース（ＤＢ）３２、地図サーバ４０、導管図サーバ４５、表示端末５０等が備えられている。
サーバコンピュータ２０には、情報処理を行うＣＰＵと、ＣＰＵを動作させるプログラム等を記憶しているＲＯＭ２２とワークエリアとしてのＲＡＭ２３とが設けられ、さらに、上記ガスメータ１の端局２とネットワークを介して通信可能な通信部２１と、上記の各データベースやサーバ等に情報を出力する出力部２４とが設けられている。
【００２７】
顧客情報ＤＢ３２には、各ガスメータ１が設けられている顧客に予め付与されているＩＤ番号、住所、後述の地図上の座標、ガスメータ１が設けられている後述の導管番号等の顧客情報が格納されている。
アラーム情報ＤＢ３１には、各ガスメータ１から発せられてサーバコンピュータ２０の通信部２１で受信した、ガスメータ１が設けられている顧客のＩＤ番号やアラーム種別等のアラーム情報及びそのアラーム情報の受信時刻等が格納される。アラーム種別としては、圧力上昇遮断、圧力低下遮断、遮断弁異常遮断、漏洩警報、電池電圧低下警報等が予め想定されている。
【００２８】
地図サーバ４０は、地図データベース（ＤＢ）４１に接続されている。地図ＤＢ４１には、アラーム情報収集システム１０における管轄範囲内の地区の地図情報が格納されている。地図サーバ４０は、サーバコンピュータ２０の指示に基づいて、所定の地区の地図を表示端末５０に接続されているディスプレイ５２に表示することができる。
導管図サーバ４５は、導管情報データベース（ＤＢ）４６に接続されている。導管情報ＤＢ４６には、上記の管轄地区におけるガスの導管の地図情報や、夫々の導管に付与されている導管番号等の導管に関する情報が格納されている。導管図サーバ４５は、サーバコンピュータ２０から出力される導管番号を受けて、導管情報サーバ４６からその導管番号の地図情報を検索し、その導管の地図を、表示端末５０のディスプレイ５２に表示されている地図上に重畳して表示することができる。
【００２９】
このように構成されたアラーム情報収集システム１０において実行される本発明方法では、ネットワーク５に接続された複数のガスメータ１の通信端局２との間で、ガスメータ１が発するアラーム情報に関する通信を含むコンピュータ・ソフトウェア処理によって実行される。具体的には、後述する本発明方法の各工程の処置を実行するためのプログラムを、磁気又は光記憶装置等の記憶媒体に格納しておき、その記憶媒体に格納されたプログラムをアラーム情報収集システム１０を構成するサーバコンピュータ２０のＲＯＭ２２にロードした上で、サーバコンピュータ２０がそのプログラムを実行することで、本発明方法が実現され、このようなプログラム及びそのプログラムを実行するＣＰＵ等が本発明のアラーム情報収集システム１０における後述する各手段を構成する。ここで、上記記憶媒体は、固定型の記憶媒体であっても、可搬型の記憶媒体であってもよい。また、上記ＲＯＭ２２も、上記プログラムがロードされれば、上記プログラムを記憶した記憶媒体となる。
【００３０】
以下、本発明方法の各工程について、以下に説明する。
本発明に係るアラーム情報収集システム１０において、サーバコンピュータ２０には、オペレータにより手動で又は、その他の手段により自動で入力された収集指令信号を受付ける受付手段２５と、受付手段２５により入力された収集指令信号に従って、複数のガスメータ１のうち、特定条件に基づいて選択された一部のガスメータ１を、ネットワーク５による通信対象に設定する設定手段２６と、設定手段２６により設定された通信対象のガスメータ１におけるアラーム情報を、ネットワークを介して収集し、収集したアラーム情報をアラーム情報ＤＢ３１に格納するアラーム情報収集手段３０とが設けられている。さらに、表示端末５０には、アラーム情報収集手段３０により収集されアラーム情報ＤＢ３１に格納されたアラーム情報を、ディスプレイ５２に表示されている地図上に重畳して表示する表示手段５１が設けられている。
【００３１】
そして、本発明方法において、まず、アラーム情報収集システム１０のサーバコンピュータ２０は、図２に示すように受付工程を実行する。受付工程においては、受付手段２５により、例えば通報者からの緊急通報等を電話等で受付けたアラーム情報収集システム１０のオペレータが手動により入力し、又は、あるガスメータ１から発せられたアラーム情報をネットワーク５を介して通信部２１で受信した後に、自動的に入力された収集指令信号を受付ける。
【００３２】
また、上記の受付手段２５における収集指令信号の受付を自動的に行う場合は、アラーム情報収集システム１０の管轄内の全てのガスメータ１のうち、例えばＩＤ番号の下３桁が「０００」であるもの等の一部のガスメータ１において、ガスの異常検知性能を、その他のガスメータ１よりも高く設定して、そのガスメータ１がアラーム情報を他のガスメータ１よりも即座にアラーム情報収集システム１０の通信部２１に発するように構成することができ、サーバコンピュータ２０の受付手段２５は、上記のように他よりも早くアラーム情報を発するガスメータ１からのアラーム情報を受信することで収集指令信号を自動的に受付けるように構成することができ、その他のガスメータ１におけるアラーム情報収集等を迅速に開始することができる。
【００３３】
次に、上記の受付工程において収集指令信号を受付けた後に又は前に、サーバコンピュータ２０は、設定手段２６を働かせて設定工程を実行する。設定工程においては、設定手段２６により、アラーム情報収集システム１０の管轄内のすべてのガスメータ１のうち、後述する予め設定された特定条件に基づいて、一部のガスメータ１を抽出し、その抽出したガスメータ１を通信対象に設定する。
【００３４】
設定手段２６としては、間引き率設定手段２７及びエリア設定手段２８及び導管設定手段２９とがある。
間引き率設定手段２７は、管轄内のすべてのガスメータ１、又は後述するその他の設定手段２８，２９により通信対象に設定されたガスメータ１の内、第１の特定条件として、地理的に分散するように所定の間引き率で間引くことによって選択されたガスメータ１を、通信対象に設定するように構成されている。
このような第１の特定条件としての間引き率は、図３のディスプレイ５２の表示イメージ図に示すように、表示端末５０におけるマウス操作等により、画面下に表示されている「通信端局選択」の枠内のａ部にあるドロップダウンフィールドと「間引き」ボタンを操作することで設定可能となっている。即ち、上記ドロップダウンフィールドに間引き率を入力し、「間引き」ボタンを押すことで、間引き率は入力された値に設定される。
また、このように入力された間引き率に基づいて、地理的に分散するようにガスメータ１を選択するには、夫々のガスメータ１及び顧客に各別に付与されたＩＤ番号が利用される。即ち、例えば間引き率を１０％に設定した場合、ＩＤ番号の下３桁が、００１から０１０までのガスメータ１、又はＩＤ番号の下１桁が０等のガスメータ１、又はＩＤ番号の下３桁において１０置きに選択された数のガスメータ１等を選択することで、この間引かれたガスメータ１は、管轄内のすべてのガスメータ１、又は後述するその他の設定手段２８，２９により通信対象に設定されたガスメータ１において、全体的に且つ均等に間引かれたものとなる。
【００３５】
エリア設定手段２８は、アラーム情報収集システム１０の管轄内の全てのガスメータ１のうち、予め設定された第２の特定条件としてのエリア内にある一部のガスメータ１を、前記通信対象として設定するように構成されている。
このような第２の特定条件としてのエリアは、図３のディスプレイ５２の表示イメージ図に示すように、表示端末５０におけるマウス操作等により、画面下に表示されている「通信端局選択」の枠内のｂ部にある「エリア」及び「終了」及び「解除」ボタンを操作することで設定可能となっている。即ち、「エリア」ボタンを押した状態で、表示されている地図上のエリアをマウスのドラッグ操作により選択し、「終了」ボタンを押して、選択されたエリアを上記の第２の特定条件として設定することができ、第２の特定条件として設定されたエリアは、ディスプレイ５２に表示されている地図上の重畳して表示される。またこのエリア設定を解除するときは、「解除」ボタンをおすことで可能である。
【００３６】
導管設定手段２９は、アラーム情報収集システム１０の管轄内の全てのガスメータ１のうち、予め設定された第２の特定条件としての所定の導管（供給路線の一例）上にある一部のガスメータ１を、通信対象として設定するように構成されている。
このような第２の特定条件として導管は、図４のディスプレイ５２の表示イメージ図に示すように、表示端末５０におけるマウス操作等により、画面下に表示されている「通信端局選択」の枠内のｃ部にある「特定路線登録」及び「路線リスト表示」ボタンを操作することで設定可能となっている。即ち、「路線リスト表示」ボタンを押すと、導管情報ＤＢ４６に格納された、導管の地図情報や、夫々の導管に付与されている導管番号等の導管に関する情報の路線リストが表示され、そのリストから任意の導管を選択し、「特定路線登録」ボタンを押すことで、その選択した導管を、上記の第２の特定条件として設定することができ、第２の特定条件として設定された導管は、ディスプレイ５２に表示されている地図上の重畳して表示される。
【００３７】
これらの設定手段２６により、通信対象として設定するガスメータ１を縮小することで、全てのガスメータ１を通信対象としたときよりも、後述するアラーム情報収集における通信時間を短くすることができる。また、上記の夫々の設定手段２８，２９，３０は併用して働かせることができる。
【００３８】
そして、サーバコンピュータ２０は、アラーム情報収集手段３０を働かせて上記の設定手段２６により設定された通信対象のガスメータ１におけるアラーム情報をネットワーク５を介して収集するアラーム情報収集工程を実行する。即ち、アラーム情報収集手段３０は、通信部２１から、ネットワーク５を介して、前記通信対象のガスメータ１にアラーム情報の送信指令信号を送信し、この送信指令信号を受信した通信対象のガスメータ１は、顧客のＩＤ番号と共にそのガスメータ１における圧力上昇遮断、圧力低下遮断、遮断弁異常遮断、漏洩警報、電池電圧低下警報等のアラーム情報を、サーバコンピュータ２０の通信部２１に送信する。
【００３９】
そして、アラーム情報収集手段３０は、通信部２１において受信したアラーム情報をアラーム情報ＤＢ３１に格納し、アラーム情報収集システム１０において、表示工程を実行して、表示端末５０の表示手段５１により、図３及び図４のディスプレイ５２の表示イメージ図に示すように、このアラーム情報（図には、圧力低下に関するアラーム情報が表示されている。）がディスプレイ５２の地図上に重畳して表示されるのである。
また、上記のアラーム情報収集手段３０は、図３及び図４のディスプレイ５２の表示イメージ図に示すように、表示端末５０におけるマウス操作等により、画面右下に表示されている「取得アラーム情報」の枠内の「アラーム確認」及び「圧力低下」ボタンを操作することで働かせることができる。
また、例えば、通信対象に設定されたガスメータ１の圧力値等の測定を自動的且つ定期的に行いたい場合は、「取得アラーム情報」の枠内の「定期圧力測定」ボタンを操作して、その測定間隔等を設定することで、自動的に定期的な圧力測定を実行させることができる。
【００４０】
さらに、本アラーム情報収集システム１０の表示端末５０は、ガスメータ１における供給異常検知によるアラーム情報発信の原因となり得るガスの導管上における工事情報等を、前述のようにアラーム情報が表示されるディスプレイ５２の地図上に重畳して表示する工事情報表示工程を行うように構成されている。即ち、表示端末５０は、工事情報表示工程を行って、予めオペレータ等により登録された、現時点で導管等の工事が行われている対象又はその付近の導管を、ディスプレイ５２の地図上において識別表示しており、オペレータ等は、ディスプレイ５２にアラーム情報が表示された場合に、そのアラーム情報と工事情報を比較して、アラームの原因を即座に推定し、次のアラーム情報収集の対象とする通信対象のメータ装置の設定や、緊急出動の命令等の対応の決定を迅速に行うことができる。
【００４１】
また、上記のようなアラーム情報収集システム１０において、サーバコンピュータ２０の通信部２１にあるガスメータ１からアラーム情報が送信されてきたときに、エリア設定手段２８において通信対象のガスメータ１を設定するための第２の特定条件としてのエリアを例えばそのアラーム情報を発信したガスメータ１の所在地から半径５００ｍ（任意）以内のエリア等に自動的に設定し、又は導管設定手段２９において通信対象のガスメータ１を設定するための第２の特定条件としての導管を例えばそのアラーム情報を発信したガスメータ１が存在する導管等に設定して、本発明方法を自動的に実行させるように構成することができる。
【００４２】
また、これまでは、本発明のアラーム情報収集システムを既存の自動検針システムとは別に構成した例を説明したが、当然ネットワームを介してガスメータの自動検針を行う自動検針システムを構成するサーバコンピュータ側に、本発明のアラーム情報収集システムを構成しても構わない。
【００４３】
また、これまではガスメータ１を本願における異常検出装置としたが、ガス、電気、水等の基幹エネルギの供給異常を検出するための異常検出装置としては、例えば、ガスメータ１に内蔵された又は別に設けられたガス圧力計測装置や、電力線上に設けられた電圧計測装置や、水道管に設けられた水圧計測装置等がある。
【００４４】
上記実施の形態においては、受付手段２５において、他よりも早くアラーム情報を発するガスメータ１からのアラーム情報を受信することで収集指令信号を自動的に受付けたが、別に、通報者からの緊急通報等を電話等で受付けたオペレータ等が手動により入力した収集指令信号を受付ける、又は、所定の時間又は期間毎に自動的に入力される収集指令信号を受付ける、又は、インターネット上の情報提供サイト又は地震検知装置等からの地震情報を受信することで収集指令信号を自動的に受付けることもできる。
また、このように、数種の属性の収集指令信号を受付ける場合には、設定手段２６において、その収集指令信号の属性に基づいて、上記特定条件を、所定のエリア又は所定の導管とするか等を決定し、このように決定した特定条件に基づいて選択されたガスメータ１を通信対象に設定することもできる。即ち、例えば受付手段２５により受付けた収集指令信号が、あるガスメータ１から発せられたアラーム情報である場合には、設定手段２６において、そのアラームを発したガスメータ１が設けられているガスの導管を特定条件として決定して、その導管上にある異常検出装置のみを通信対象に設定する。一方、受付手段２５により受付けた収集指令信号が地震情報によるものである場合には、設定手段２６において、その地震が発生したエリアを特定条件として決定して、そのエリア内にあるガスメータ１を通信対象に設定する。
【図面の簡単な説明】
【図１】アラーム情報収集システムの概略構成図
【図２】本発明に係るアラーム情報収集方法のフロー図
【図３】ディスプレイの表示イメージ図
【図４】ディスプレイの表示イメージ図
【符号の説明】
１        ガスメータ（異常検出装置）
２        通信端局
５        ネットワーク
１０      アラーム情報収集システム
２０      サーバコンピュータ
２１      通信部
２２      ＲＯＭ
２４      出力部
２５      受付手段
２６      設定手段
３０      アラーム情報収集手段
５１      表示手段
【図１】
0004560231.tif 000002
【図２】
0004560231.tif 000003
【図３】
0004560231.tif 000004
【図４】
0004560231.tif 000005